(57)【要約】【課題】合わせ蓋を浴槽の上縁フランジ上に安定して収納できると共に、コストアップを抑えつつ浴槽周りのデザイン性の低下を防止し得る風呂蓋の収納構造を提供する。【解決手段】浴室内の浴槽の上縁フランジ上に載置されて該浴槽の上縁開口部を覆う風呂蓋の収納構造であって、風呂蓋が複数枚の蓋体からなる合わせ蓋で形成されると共に、浴槽の背足方向の一方の端部に、該浴槽の上縁フランジから下方に凹み前記合わせ蓋を重ね合わせた状態で収納可能な蓋収納部が設けられていることを特徴とする。前記蓋収納部の底面には、浴室の洗い場方向に下る水勾配が設けられる。【選択図】  図３
2008289581.tif 000002
【特許請求の範囲】
【請求項１】
浴室内の浴槽の上縁フランジ上に載置されて該浴槽の上縁開口部を覆う風呂蓋の収納構造であって、
前記風呂蓋が複数枚の蓋体からなる合わせ蓋で形成されると共に、前記浴槽の背足方向の一方の端部に、該浴槽の上縁フランジから下方に凹み前記合わせ蓋を重ね合わせた状態で収納可能な蓋収納部が設けられていることを特徴とする風呂蓋の収納構造。
【請求項２】
前記蓋収納部の底面に、浴室の洗い場方向に下る水勾配が設けられていることを特徴とする請求項１に記載の風呂蓋の収納構造。
【発明の詳細な説明】
【技術分野】
【０００１】
本発明は、システムバスルーム等の浴室の浴槽を覆う風呂蓋の収納構造に係り、特に、風呂蓋としての合わせ蓋を浴槽の背足方向の一方の端部上に収納可能な風呂蓋の収納構造に関する。
【背景技術】
【０００２】
一般的に、浴室の浴槽用風呂蓋として、複数の蓋体からなる合わせ蓋等が用いられている。入浴時には、この合わせ蓋を図６及び図７に示すように各蓋体を重ね合わせた状態で収納している。図６に示す収納構造は、合わせ蓋１０２の各蓋体１０２ａ〜１０２ｃが重ね合わせられて、その一端が浴槽１０１の上縁フランジ１０１ａ上に載置されると共に他端が壁面１０３ａに当接されて、各蓋体１０２ａ〜１０２ｃが壁面１０３ａに立て掛けられるようになっている。
【０００３】
また、図７に示す収納構造は、壁面１０３ａに立て掛けられた合わせ蓋１０２の各蓋体１０２ａ〜１０２ｃの上端を固定フック１０４で係止されるようになっている。なお、浴槽の風呂蓋に関する公報としては、特許文献１及び特許文献２が知られている。
【特許文献１】特開平６−２２８７３号公報
【特許文献２】特開平８−９８７８２号公報
【発明の開示】
【発明が解決しようとする課題】
【０００４】
しかしながら、図６に示す収納構造においては、合わせ蓋１０２の各蓋体１０２ａ〜１０２ｃが浴槽１０１の上縁フランジ１０１ａ上に単に載置されているだけなので、入浴中に各蓋体１０２ａ〜１０２ｃが倒れる虞がある。また、図７に示す収納構造においては、各蓋体１０２ａ〜１０２ｃの倒れは防止できるものの、浴室の壁面１０３ａに固定フック１０４を取付ける必要があり、部材コストや取付けコストがかかってコストがアップすると共に、壁面１０３ａに突起物が存在することになって浴槽１０１周りのデザイン面で好ましくない。
【０００５】
本発明は、このような事情に鑑みてなされたもので、その目的は、合わせ蓋を浴槽の上縁フランジ上に安定して収納できると共に、コストアップを抑えつつ浴槽周りのデザイン性の低下を防止し得る風呂蓋の収納構造を提供することにある。
【課題を解決するための手段】
【０００６】
かかる目的を達成すべく、本発明のうち請求項１に記載の発明は、浴室内の浴槽の上縁フランジ上に載置されて該浴槽の上縁開口部を覆う風呂蓋の収納構造であって、前記風呂蓋が複数枚の蓋体からなる合わせ蓋で形成されると共に、前記浴槽の背足方向の一方の端部に、該浴槽の上縁フランジから下方に凹み前記合わせ蓋を重ね合わせた状態で収納可能な蓋収納部が設けられていることを特徴とする。また、請求項２に記載の発明は、前記蓋収納部の底面に、浴室の洗い場方向に下る水勾配が設けられていることを特徴とする。
【発明の効果】
【０００７】
本発明のうち請求項１に記載の発明によれば、浴槽の背足方向の一方の端部に、浴槽の上縁フランジから下方に凹み複数枚の蓋体からなる合わせ蓋を重ね合わせた状態で収納可能な蓋収納部が設けられているため、各蓋体の端部を蓋収納部に収納するだけで、合わせ蓋が浴槽の背足方向に一方の端部に安定して収納されると共に、転倒防止用の固定フック等が不要となってコストアップを抑えつつ浴槽周りにスッキリ感が得られてそのデザイン性の低下を防止することができる。
【０００８】
また、請求項２に記載の発明によれば、請求項１に記載の発明の効果に加え、蓋収納部の底面に浴室の洗い場方向に下る水勾配が設けられているため、浴槽の上縁フランジから下方に凹んだ蓋収納部内の水が洗い場側に流れ、蓋収納部内における水溜まりが防止されてその清潔さを維持することができる。
【発明を実施するための最良の形態】
【０００９】
以下、本発明の実施の形態を図面に基づいて詳細に説明する。
図１〜図４は、本発明に係る風呂蓋の収納構造の一実施形態を示し、図１が浴槽の平面図、図２が浴槽の設置状態の側断面図、図３がその要部の拡大図、図４が図１のＡ−Ａ線に沿った矢視図である。
【００１０】
図１及び図２に示すように、人造大理石製やステンレス製等の浴槽１は、上縁開口部１ｂの周囲に上縁フランジ１ａが一体形成され、上縁フランジ１ａの背足方向イの一方の端部である浴室の壁面３ａ側に蓋収納部２が設けられている。この蓋収納部２は、図３に示すように、上縁フランジ１ａの端部に該上縁フランジ１ａから下方に凹んだ状態で一体成形された側壁部２ａ及び底壁部２ｂを有している。
【００１１】
そして、蓋収納部２は、その底壁部２ｂの端部が前記壁面３ａに当接されることで、蓋収納部２と壁面３ａとの間に収納空間４が形成されている。この蓋収納部２は、浴室の洗い場１３（図６参照）側が開口するように形成されている。また、蓋収納部２の底面である底壁部２ｂは、図４に示すように、壁面３ｂ側から洗い場１３側に下る水勾配を有するように形成され、蓋収納部２内の水が洗い場１３側に流れるようになっている。
【００１２】
また、前記蓋収納部２の底壁部２ｂは、図３に示すように、壁面３ａの所定高さ位置にブラケット７にねじ６で固定された木製または樹脂製の取付部材５上に載置されている。また、側壁部２ａの上端側には、樹脂製のガタ防止部材８が接着等により固定されている。なお、蓋収納部２の深さｈは、後述する合わせ蓋１０を形成する３枚の蓋体１０ａ〜１０ｃの前記背足方向イの寸法である幅Ｗ１（図２参照）の１／３程度に設定され、また、蓋収納部２の幅Ｗ２は、３枚の蓋体１０ａ〜１０ｃの板厚をｔとした場合、３ｔより若干大きくなるように設定されている。
【００１３】
そして、この浴槽１には、非入浴時に浴槽内の湯を保温する場合に、その上縁開口部１ａに３枚の略同一形状の蓋体１０ａ〜１０ｃからなる合わせ蓋１０が載置されるようになっている。この合わせ蓋１０は、樹脂成形等により所定の板厚ｔの平面視長方形状かもしくは正方形状で、かつ３枚の各蓋体１０ａ〜１０ｃの形状が同一または略同一となるように形成されている。また、各蓋体１０ａ〜１０ｃの幅方向の端部には、図３に示すように、補強部１１が設けられている。
【００１４】
次に、このように構成された浴槽１の使用方法の一例について説明する。非入浴時に浴槽内の湯を保温する場合には、図２の二点鎖線で示すように、合わせ蓋１０の３枚の蓋体１０ａ〜１０ｃで浴槽１の上縁開口部１ｂを覆う。そして、この状態から入浴者が入浴しようとする場合は、合わせ蓋１０の各蓋体１０ａ〜１０ｃを浴槽１の上縁フランジ１ａ上から持ち上げ、図１〜図３に示すように、各蓋体１０ａ〜１０ｃの幅方向の一方の端部を蓋収納部２内に差し込み収納する。
【００１５】
この収納の際、蓋収納部２の幅Ｗ２が３枚の蓋体１０ａ〜１０ｃの板厚ｔに応じた所定寸法に設定されていることから、３枚の蓋体１０ａ〜１０ｃが重ね合わさった状態で蓋収納部２内に収納される。このとき各蓋体１０ａ〜１０ｃの１／３程度が蓋収納部２内に位置して残りの２／３程度が浴槽１の上縁フランジ１ｂから上方に突出した状態となっている。また、各蓋体１０ａ〜１０ｃの収納状態において、最も外側である壁面３ａ側に位置する蓋体１０ａが壁面３ａに略当接すると共に、浴槽１側に位置する蓋体１０ｃがガタ防止部材８に略当接するか若干の隙間を有して蓋収納部２内に収納される。
【００１６】
この収納状態において各蓋体１０ａ〜１０ｃの内面に付着した水滴が落下したり、入浴後に浴槽１を掃除する際に蓋収納部２内に侵入した水は、底壁部２ｂの水勾配により洗い場１３側に自然に流れて、蓋収納部２内に滞留することが防止される。つまり、浴槽１の背足方向イの壁面３ａ側の端部に凹んだ蓋収納部２を設けることで、この蓋収納部２内に合わせ蓋１０の３枚の蓋体１０ａ〜１０ｃが、簡単かつ安定した状態で収納されることになる。
【００１７】
このように、上記実施形態の浴槽１にあっては、浴槽１の背足方向イの一方の端部に、浴槽１の上縁フランジ１ａから下方に凹んだ蓋収納部２が設けられているため、各蓋体１０ａ〜１０ｃの端部を蓋収納部２に差し込むだけで、合わせ蓋１０を浴槽１の背足方向イの一方の端部に安定して収納することができる。
【００１８】
特に、蓋収納部２内に蓋体１０ａ〜１０ｃの端部の１／３程度が収納されるため、収納状態の蓋体１０ａ〜１０ｃの浴槽１側への倒れを確実に防止することができる。また、蓋収納部２の幅Ｗ２が３枚の蓋体１０ａ〜１０ｃの板厚ｔの合計より若干大きく設定されると共に、蓋収納部２の上端にガタ防止部材８が設けられているため、収納状態の蓋体１０ａ〜１０ｃのガタ付きが防止されて、より一層安定した収納状態を得ることができる。
【００１９】
また、蓋収納部２の底壁部２ｂ内面に浴室の洗い場１３方向に下る水勾配が設けられているため、蓋体１０ａ〜１０ｃに付着した水滴の落下や浴槽１の清掃時の水等が蓋収納部２内に侵入しても、この水が水勾配により洗い場１３側に自然に流れ、蓋収納部２内における水溜まりが防止されてその清潔さを維持することができると共に、浴槽１の清掃自体を簡単に行うことができる。
【００２０】
さらに、各蓋体１０ａ〜１０ｃが蓋収納部２内に倒れが防止された状態で収納されるため、従来のような転倒防止用の固定フック１０４等を設ける必要がなくなり、部材コストのアップを抑えることができると共に、浴槽１周りの壁面３ａや浴槽１の上縁フランジ１ａ等に突起物がなくなり、浴槽１周りにスッキリ感が得られてそのデザイン性の低下を防止することができる。
【００２１】
図５は、本発明に係る収納構造の他の実施形態を示す図３と同様の要部の拡大図である。以下、上記実施形態と同一部位には同一符号を付して説明する。この実施形態の特徴は、蓋収納部２が、浴槽１の背足方向イの一方の端部に取付けた収納部材１５で構成されている点にある。収納部材１５は、垂直な側壁部１５ａと水平な底壁部１５ｂ及び側壁部１５ａから水平方向に延びた取付部１５ｃと底壁部１５ｂの先端に下方に延びた取付部１５ｄで形成され、取付部１５ｃが取付部材１６にねじ１７で固定され、取付部１５ｄが壁面３ａにねじ１８で固定されている。これにより、浴槽１の背足方向イの一方の端部に収納部材１５が取付けられ、この収納部材１５と壁面３ａとの間に収納空間４を有する蓋収納部２が設けられている。なお、収納部材１５の側壁部１５ａの上端内面にはガタ防止部材８が固定されている。
【００２２】
この実施形態の収納構造においても、浴槽１の背足方向イの一方の端部に浴槽１の上縁フランジ１ａから下方に凹んだ蓋収納部２が設けられており、この蓋収納部２に合わせ蓋１０の３枚の蓋体１０ａ〜１０ｃが収納されて、上記実施形態と同様の作用効果が得られる。また、この実施形態の場合は、蓋収納部２の収納部材１５が浴槽１とは別体で形成されているため、浴槽１自体の構成が簡略化されると共に、収納部材１５を既存の浴槽１に取付けできて、既存製品への対応が容易に行えるという作用効果も得ることができる。
【００２３】
なお、上記各実施形態においては、風呂蓋としての合わせ蓋１０の蓋体１０ａ〜１０ｃの枚数が略同一形状の３枚である場合について説明したが、本発明に係わる蓋体の枚数は、２枚あるいは４枚以上でも良いし、蓋体の形状である大きさ等を異なるようにしても良いし、蓋収納部２の深さｈや幅Ｗ２も、蓋体の枚数や形状等に応じて適宜に変更することができる。
【産業上の利用可能性】
【００２４】
本発明は、システムバスルーム等の浴室に設置される浴槽の風呂蓋に限らず、例えば在来工法の浴室に設置される浴槽や各種施設の浴室に設置される浴槽の風呂蓋等にも利用できる。
【図面の簡単な説明】
【００２５】
【図１】本発明に係る風呂蓋の収納構造の一実施形態を示す浴槽の平面図
【図２】同浴槽の設置状態の側断面図
【図３】同その要部の拡大図
【図４】同図１のＡ−Ａ線に沿った矢視図
【図５】本発明に係る風呂蓋の収納構造の他の実施形態を示す図３と同様の拡大図
【図６】従来の収納構造を示す平面図
【図７】従来の他の収納構造を示す要部の拡大図
【符号の説明】
【００２６】
１・・・浴槽、１ａ・・・上縁フランジ、１ｂ・・・上縁開口部、２・・・蓋収納部、２ａ・・・側壁部、２ｂ・・・底壁部、３ａ、３ｂ・・・壁面、４・・・収納空間、５・・・取付部材、８・・・ガタ防止部材、１０・・・合わせ蓋、１０ａ〜１０ｃ・・・蓋体、１３・・・洗い場、１５・・・収納部材、１５ａ・・・側壁部、１５ｂ・・・底壁部、１５ｃ、１５ｄ・・・取付部、１６・・・取付部材、イ・・・背足方向。
【図１】
2008289581.tif 000003
【図２】
2008289581.tif 000004
【図３】
2008289581.tif 000005
【図４】
2008289581.tif 000006
【図５】
2008289581.tif 000007
【図６】
2008289581.tif 000008
【図７】
2008289581.tif 000009